(57)【特許請求の範囲】
【請求項１】
ディスクが着脱可能な第１着脱位置と、ディスクを収納して待機する第１収納位置と、ディスクが再生可能な第１再生位置との間を移動可能な第１トレイと、
ディスクが着脱可能な第２着脱位置と、ディスクを収納して待機する第２収納位置と、ディスクが再生可能な第２再生位置との間を移動可能な第２トレイと、第１トレイに載置されたディスク或いは第２トレイに載置されたディスクを再生するディスク再生手段と、
該ディスク再生手段を再生位置と非再生位置との間で往復動させる再生手段移動機構と、を備えたディスクローディング装置において、
外周部に歯部及び欠歯部が設けられたカムギヤと、
該カムギヤ外周部の歯部及び前記第１トレイに設けられたラックに噛み合い、該第１トレイを第１着脱位置と第１収納位置との間で駆動する第１ギヤと、
該カムギヤ外周部の歯部及び前記第１トレイに設けられたラックに噛み合い、該第１トレイを第１収納位置と第１再生位置との間で駆動する第２ギヤと、
該カムギヤ外周部の歯部及び前記第２トレイに設けられたラックに噛み合い、該第２トレイを第２着脱位置と第２収納位置との間で駆動する第３ギヤと、
該カムギヤ外周部の歯部及び前記第２トレイに設けられたラックに噛み合い、該第２トレイを第２収納位置と第２再生位置との間で駆動する第４ギヤと、
該カムギヤ外周部の歯部及び前記再生手段移動機構に設けられたラックに噛み合う第５ギヤと、を設け、前記カムギヤが回転して前記第１ギヤ〜第５ギヤを駆動することにより、前記第１トレイ，前記第２トレイ，及び前記ディスク再生手段の移動を制御することを特徴とするディスクローディング装置。
【請求項２】
前記第１トレイの第１着脱位置と第１再生位置との間の移動、及び前記第２トレイの第２着脱位置と第２再生位置との間の移動、及び前記ディスク再生手段の再生位置と非再生位置との間の移動は、前記カムギヤの１回転中に行われることを特徴とする請求項１に記載のディスクローディング装置。
【発明の詳細な説明】
【０００１】
【発明の属する技術分野】
本発明は、光ディスクや光磁気ディスクのような情報記録媒体としてのディスクを、ディスク再生装置にローディングするディスクローディング装置に関するものである。
【０００２】
【従来の技術】
従来より、光ディスクや光磁気ディスクのような情報記録媒体としてのディスクの普及に伴い、複数のディスクをまとめて容易に取り扱うために、これら複数のディスクを一度に収納し、これらのディスクの中から選択的に再生を行うディスクローディング装置が提案されている。また、この種のディスクローディング装置においては、或るディスクを再生中又は記録中に、それ以外の、再生又は記録に関わらないディスクを出し入れしたり交換したりできることが利便性の上で重要であり、このようなディスクローディング装置が求められてきた。
【０００３】
図２９は、このような要求を満たすものとしての、従来のディスクローディング装置の一例におけるトレイ及び再生機構ユニットの移動を模式的に示す基本動作図である。本例では、同図に示すように、装置の筐体１内前部の収納位置において、ディスク９が載置可能な複数枚のトレイ（本例では上部トレイ４及び下部トレイ５）を重畳して収納し、これらのトレイを選択的に、装置外のディスク着脱可能な位置（着脱位置）と、装置内奥部のディスクを再生する位置（再生位置）との間で移動させるように構成されている。
【０００４】
ここで、同図（ａ）は、上部トレイ４が着脱位置にある状態を示している。また、同図（ｂ）は、上部トレイ４及び下部トレイ５が重畳して収納位置に収納された状態を示している。さらに、同図（ｃ）は、下部トレイ５が再生位置にある状態を示している。そして、同図（ｄ）は、下部トレイ５に載置されていたディスク９の再生が行われている状態を示している。
【０００５】
このディスクローディング装置では、再生するディスク９がどのトレイに載置されたものであるかに関わらず、筐体１内奥部の再生機構ユニット２０を昇降させて、目的のディスク９の再生を行う。この再生機構ユニット２０は、ディスク９を回転させるターンテーブル２１や、ディスク９に記録された情報を読み取るピックアップ、及びピックアップをディスク９の半径方向に移動させる駆動機構等を含む。
【０００６】
具体的には、同図（ｃ）から（ｄ）にかけて示すように、上記の再生機構ユニット２０を装置上下方向に移動させる再生機構ユニット昇降機構（不図示）によって、通常は全てのトレイよりも下部に位置している再生機構ユニット２０が上昇し、その過程で再生位置にある１つのトレイ（本例では下部トレイ５）上に載置されたディスク９をターンテーブル２１によって拾い上げる。
【０００７】
引き続き再生機構ユニット２０が上昇すると、ターンテーブル２１上のディスク９が、筐体１上部に取り付けられたディスク押さえ８に当接し、ターンテーブル２１方向に付勢力が与えられる。この時点で再生機構ユニット昇降機構は停止され、再生機構ユニット２０は再生位置に達したこととなる。上記の状態において、収納位置から着脱位置へのトレイ移動を行う駆動機構を別途設けておけば、ディスク９の再生又は記録中において、他のディスク９の交換も可能となる。
【０００８】
【発明が解決しようとする課題】
しかしながら、上述したような従来のディスクローディング装置では、各トレイの再生位置における高さが異なるため、ターンテーブルやピックアップ等を含む再生機構ユニットの移動範囲が大きくならざるを得ない。故に、この再生機構ユニットの昇降移動には、一般にトレイの移動とは別の駆動機構が必要となる。つまり、２つの異なる駆動機構を装置筐体内に備えることが必要となり、装置構造の複雑化や、部品点数及びコストの増大、さらには装置の大型化を招くこととなる。
【０００９】
本発明は、このような問題点に鑑み、トレイ駆動機構及び再生機構ユニットの構成を簡素化することにより、装置全体を大型化することなく、安価なディスクローディング装置を提供することを目的とする。
【００１０】
【課題を解決するための手段】
上記目的を達成するために、本発明では、ディスクが着脱可能な第１着脱位置と、ディスクを収納して待機する第１収納位置と、ディスクが再生可能な第１再生位置との間を移動可能な第１トレイと、ディスクが着脱可能な第２着脱位置と、ディスクを収納して待機する第２収納位置と、ディスクが再生可能な第２再生位置との間を移動可能な第２トレイと、第１トレイに載置されたディスク或いは第２トレイに載置されたディスクを再生するディスク再生手段と、そのディスク再生手段を再生位置と非再生位置との間で往復動させる再生手段移動機構と、を備えた構成において、外周部に歯部及び欠歯部が設けられたカムギヤと、そのカムギヤ外周部の歯部及び前記第１トレイに設けられたラックに噛み合い、その第１トレイを第１着脱位置と第１収納位置との間で駆動する第１ギヤと、そのカムギヤ外周部の歯部及び前記第１トレイに設けられたラックに噛み合い、その第１トレイを第１収納位置と第１再生位置との間で駆動する第２ギヤと、そのカムギヤ外周部の歯部及び前記第２トレイに設けられたラックに噛み合い、その第２トレイを第２着脱位置と第２収納位置との間で駆動する第３ギヤと、そのカムギヤ外周部の歯部及び前記第２トレイに設けられたラックに噛み合い、その第２トレイを第２収納位置と第２再生位置との間で駆動する第４ギヤと、そのカムギヤ外周部の歯部及び前記再生手段移動機構に設けられたラックに噛み合う第５ギヤと、を設け、前記カムギヤが回転して前記第１ギヤ〜第５ギヤを駆動することにより、前記第１トレイ，前記第２トレイ，及び前記ディスク再生手段の移動を制御することを特徴とする。
【００１１】
また、前記第１トレイの第１着脱位置と第１再生位置との間の移動、及び前記第２トレイの第２着脱位置と第２再生位置との間の移動、及び前記ディスク再生手段の再生位置と非再生位置との間の移動は、前記カムギヤの１回転中に行われることを特徴とする。
【００１２】
【発明の実施の形態】
以下、本発明の実施の形態について、図面を参照しながら説明する。図１は、本発明の一実施形態に係るディスクローディング装置の外観を示す斜視図である。また図２は、本実施形態に係るディスクローディング装置の内部構造を示す斜視図である。これらの図に示すように、本ディスクローディング装置は筐体１を備えており、この筐体１に、上部トレイ収納部２，下部トレイ収納部３，上部トレイ４，下部トレイ５，及びディスク押さえ８等が組み込まれて構成されている。
【００１３】
図３は、筐体周辺の各部の構造を示す分解斜視図である。同図に示すように、筐体１後部左右には、上部トレイ４の上下方向動作に規制を与えるトレイガイド１ｋ、下部トレイ５の左右方向動作に規制を与えるトレイガイド１Ｌ、及びこのトレイガイド１Ｌと連続的に設けられ、装置奥部側で上方へと傾斜して下部トレイ５を傾けるように案内するトレイガイド１ｄが配設されている。その他、筐体１下面には、再生機構ユニット２０やモーター１３等が取り付けられている。詳しくは後述する。
【００１４】
図４は、下部トレイ収納部の構造を示す斜視図である。下部トレイ収納部３は、筐体１前方部分に取り付けられている。同図に示すように、下部トレイ収納部３には、下部トレイ５の上下方向動作に規制を与えるトレイガイド３ａが、左右両端より内方に突設している。また、下部トレイ５の左右方向動作に規制を与えるトレイガイド３ｂが、底面左右両端付近より上方に突設している。
【００１５】
図５は、上部トレイ収納部の構造を示す斜視図である。上部トレイ収納部２は、下部トレイ収納部３の上側に取り付けられている。同図に示すように、上部トレイ収納部２には、上部トレイ４の上下方向動作に規制を与えるトレイガイド２ａが、左右両端より内方に突設している。また、上部トレイ４の左右方向動作に規制を与えるトレイガイド２ｂが、底面左右両端付近より上方に突設している。
【００１６】
図６は、本実施形態に係るディスクローディング装置に装着される２種類のディスクを示す平面図である。同図（ａ）は大径のディスク９、同図（ｂ）は小径のディスク１０を示している。上部トレイ４は、上部トレイ収納部２において、筐体１の略水平前後方向（図１中の矢印Ａ方向）に摺動自在に取り付けられており、情報記録媒体としてのディスク９又はディスク１０を、筐体１外部前方のディスク着脱位置と筐体１の奥部に位置する第１トレイディスク再生位置との間で搬送する。
【００１７】
一方、下部トレイ５は、下部トレイ収納部３において、上部トレイ４と略平行に摺動自在に取り付けられており、情報記録媒体としてのディスク９又はディスク１０を、筐体１外部前方のディスク着脱位置と下部トレイ収納部３上のトレイ保持位置との間で搬送するとともに、前記第１トレイディスク再生位置の近傍となる第２トレイディスク再生位置と下部トレイ収納部３との間で搬送する。
【００１８】
図７は、上部トレイの構造を示す斜視図である。同図に示すように、上部トレイ４は、その上面に径の異なる略円形の凹部４ａ及び４ｂを同心状に有している。凹部４ａは、大径のディスク９を収納し得るように形成されており、凹部４ｂは、小径のディスク１０を収納し得るように形成されている。
【００１９】
上部トレイ４は、上記凹部の中心部に穴部４ｄを有しており、その後方に連設して穴部４ｅを有している。穴部４ｄは、図３に示した再生機構ユニット２０上のターンテーブル２１を導入するものであり、穴部４ｅは、同じく再生機構ユニット２０上のピックアップ２２を導入するものである。また上部トレイ４には、凹部４ｂの内側右端に、位置決め用穴４ｆが設けられている。これは、後述するように、再生位置Ｔ３において、再生ユニットホルダー７に一体的に設けられた位置決めボス７ｃが嵌入するものである。
【００２０】
さらに上部トレイ４は、両側面部に移動方向に沿ってガイド溝４ｇが設けられており、両側縁部の下面側に移動方向に沿ってガイド溝４ｈが設けられている。ガイド溝４ｇは、図５に示した上部トレイ収納部２に一体的に設けられるトレイガイド２ａと係合して、上部トレイ４の動作を案内する。またガイド溝４ｈは、上部トレイ収納部２に一体的に設けられるトレイガイド２ｂと係合して、上部トレイ４の動作を案内する。
【００２１】
図８は、下部トレイの構造を示す斜視図である。同図に示すように、下部トレイ５は、その上面に径の異なる略円形の凹部５ａ及び５ｂを同心状に有している。凹部５ａは、大径のディスク９を収納し得るように形成されており、凹部５ｂは、小径のディスク１０を収納し得るように形成されている。
【００２２】
下部トレイ５は、上記凹部の中心部に穴部５ｄを有しており、その後方に連設して穴部５ｅを有している。穴部５ｄは、図３に示した再生機構ユニット２０上のターンテーブル２１を導入するものであり、穴部５ｅは、同じく再生機構ユニット２０上のピックアップ２２を導入するものである。また下部トレイ５には、凹部５ｂの内側右端に、位置決め用穴５ｆが設けられている。これは、後述するように、再生位置Ｔ６において、再生ユニットホルダー７に一体的に設けられた位置決めボス７ｃが嵌入するものである。
【００２３】
さらに下部トレイ５は、両側面部に移動方向に沿ってガイド溝５ｇが設けられており、両側縁部の下面側に移動方向に沿ってガイド溝５ｈが設けられている。ガイド溝５ｇは、図４に示した下部トレイ収納部３に一体的に設けられるトレイガイド３ａと係合して、下部トレイ５の動作を案内する。またガイド溝５ｈは、下部トレイ収納部３に一体的に設けられるトレイガイド３ｂと係合して、下部トレイ５の動作を案内する。
【００２４】
なお、これより以降の説明においては、ディスク９或いはディスク１０のいずれかに特化した特徴を述べる場合を除いて、便宜上ディスク９のみを用いる。
【００２５】
図９は、本実施形態に係るディスクローディング装置におけるトレイ及び再生機構ユニットの移動を模式的に示す基本動作図である。同図に示すように、本装置において、上部トレイ４はディスク９を着脱位置Ｔ１，収納位置Ｔ２，及び再生位置Ｔ３に搬送し、下部トレイ５はディスク９を着脱位置Ｔ４，収納位置Ｔ５，及び再生位置Ｔ６に搬送するよう構成されている。
【００２６】
同図（ａ）に示す着脱位置Ｔ１は、筐体１の外部前方で上部トレイ４に対してディスク９の着脱を行う位置である。同図（ｂ）に示す収納位置Ｔ２は、上部トレイ４が、装置前部に位置する上部トレイ収納部２にて、後述のディスク保持機構によって保持される位置である。同図（ｄ）に示す再生位置Ｔ３は、上部トレイ４上のディスク９を、筐体１奥側に位置する再生機構ユニット２０で再生可能な位置に搬送完了させた位置である。
【００２７】
同図（ｆ）に示す着脱位置Ｔ４は、筐体１の外部前方で下部トレイ５に対してディスク９の着脱を行う位置である。同図（ｅ）に示す収納位置Ｔ５は、下部トレイ５が、装置前部に位置する下部トレイ収納部３にて、後述のディスク保持機構によって保持される位置である。同図（ａ）に示す再生位置Ｔ６は、下部トレイ５上のディスク９を、筐体１奥側に位置する再生機構ユニット２０で再生可能な位置に搬送完了させた位置である。
【００２８】
上記図７に示したように、上部トレイ４の一側面（正面より見て左側）には、移動方向のほぼ全長に渡ってラック４ｃが形成されている。ラック４ｃは、装置前側において後述する第１トレイ駆動ギヤ２６と噛み合い、上部トレイ４を着脱位置Ｔ１と収納位置Ｔ２との間で移動させる。また、ラック４ｃは、収納位置Ｔ２と再生位置Ｔ３との間において、後述する第２トレイ駆動ギヤ２８と噛み合い、上部トレイ４を移動させる。
【００２９】
また、図８に示したように、下部トレイ５の一側面（正面より見て右側）には、移動方向のほぼ全長に渡ってラック５ｃが形成されている。ラック５ｃは、装置前側において後述する第３トレイ駆動ギヤ３０と噛み合い、下部トレイ５を着脱位置Ｔ４と収納位置Ｔ５との間で移動させる。また、ラック５ｃは、収納位置Ｔ５と再生位置Ｔ６との間において、後述する第４トレイ駆動ギヤ３２と噛み合い、上部トレイ４を移動させる。
【００３０】
ところで、図３に示したように、立て板状の昇降用ラック部材１８の正面下部には、ラック部１８ａが設けられており、これが筐体１の中央付近に設けられたガイド溝１ｂに嵌入され、装置左右方向に摺動自在に配設されている。また、この昇降用ラック部材１８には、傾斜したガイド溝１８ｂが左右に設けられている。これは再生機構ユニット２０を図９（ａ）に示した再生位置Ｐ１と図９（ｃ）に示した非再生位置Ｐ２との間で移動させるものである。
【００３１】
また、略平板状の再生機構ユニット２０の後部は、その左右端に設けられた防振ゴム２３を介して筐体１下面後部に螺着されており、再生機構ユニット２０の前部には、その左右端に設けられた図示しない防振ゴム２３を介して、略箱状の再生ユニットホルダー７が螺着されている。再生ユニットホルダー７の前面には、左右の昇降用ボス７ａがそれぞれ前方に突設しており、これが上記昇降用ラック部材１８のガイド溝１８ｂに嵌入されている。
【００３２】
また、再生ユニットホルダー７の両側面には、回動案内用凸部７ｂが各側方に突出して一体的に設けられており、筐体１中央付近に設けられた回動ガイド溝１ａに係合している。これにより、再生機構ユニット２０の再生位置Ｐ１と非再生位置Ｐ２との間での移動を案内する。さらに、再生ユニットホルダー７の上面には、位置決めボス７ｃが上方に突出して一体的に設けられている。これは、再生位置Ｔ３にある上部トレイ４或いは再生位置Ｔ６にある下部トレイ５の位置決めを行うためのものである。
【００３３】
ここで、図９の基本動作図を用いて、本ディスクローディング装置における基本動作の概要を説明しておく。まず、同図（ｂ）には待機状態が示されている。待機状態は、上部トレイ４が収納位置Ｔ２にあり、下部トレイ５が再生位置Ｔ６にあり、また再生機構ユニット２０が再生位置Ｐ１となっている状態である。次に、待機状態より、上部トレイ４に対してディスクの着脱を行う場合、同図（ａ）に示すように、第１トレイ駆動ギヤ２６の駆動によって、上部トレイ４を着脱位置Ｔ１へと移動させる。ここでディスク９が載置された上部トレイ４は、第１トレイ駆動ギヤ２６の駆動によって、収納位置Ｔ２へと戻される。
【００３４】
引き続き、上部トレイ４上のディスク９を再生する場合、同図（ｂ）の状態から、まず、同図（ｃ）に示すように、再生機構ユニット２０が非再生位置へと移動し、下部トレイ５は移動可能な状態となる。そして、同図（ｄ）に示すように、第２トレイ駆動ギヤ２８の駆動によって、上部トレイ４を再生位置Ｔ３へと移動し、第４トレイ駆動ギヤ３２の駆動によって、下部トレイ５を収納位置Ｔ５へと移動する。
【００３５】
その後、同図（ｅ）に示すように、再生機構ユニット２０が再生位置Ｐ１へと移動して、上部トレイ４上のディスク９の再生が行われる。さらに、下部トレイ５に対してディスクの着脱を行う場合は、同図（ｆ）に示すように、第３トレイ駆動ギヤ３０の駆動によって、下部トレイ５を着脱位置Ｔ４へと移動する。以上が、本ディスクローディング装置における基本動作の概要である。
【００３６】
次に、駆動力伝達機構各部の構成について説明する。これは、駆動源となるモーターより、上述した上部トレイ４，下部トレイ５，及び再生機構ユニット２０へと駆動力を伝達する機構である。図３に示したように、筐体１前部中央付近下面側には、駆動源となるモーター１３が取り付けられており、その回転軸にはピニオンギヤ１４が取り付けられている。
【００３７】
ここで図１０は、本ディスクローディング装置における、トレイ及び再生機構ユニットに関連する部分の内部構成を示す平面図である。また図１１は、本ディスクローディング装置における、トレイ及び再生機構ユニットに関連する部分の構造を示す分解斜視図である。これらの図に示すように、モーター１３の駆動力は、ピニオンギヤ１４より、中間ギヤ１５及び中間ギヤ１６の減速機構を介して、駆動カム１７へと伝達される。
【００３８】
駆動カム１７は、トレイ収納部の下部に位置し、筐体１に回動自在に取り付けられた回転体である。また、前記モーター１３と、中間ギヤ１５の回転軸部、及び中間ギヤ１６の回転軸部は、駆動カム１７の回転軸部１ｊの内側に配設されるように構成されている。そして、駆動カム１７の内側面部には、中間ギヤ１６と噛み合うギヤ部１７ａが設けられており、これにより駆動カム１７へと駆動力が伝達される。さらに、駆動カム１７の外側面部にはギヤが設けてあり、上部トレイ４及び下部トレイ５を移動させるための中間ギヤ、及び再生機構ユニット２０を昇降移動させる昇降用ラック部材１８へと駆動力を伝達する中間ギヤ群と噛み合って、駆動力を伝達している。詳しくは後述する。
【００３９】
図１２は、本ディスクローディング装置における、駆動カムに関連する部分の構成を示す図である。同図（ａ）は斜視図、同図（ｂ）は外側面ギヤ部の展開図を示している。同図では、駆動カム１７の中心Ｏから見た或る方位（ここでは装置前方）を０゜とし、側面を３６０゜まで展開している。そして、各ギヤ部の噛み合い状態を示している。
【００４０】
同図に示すように、駆動カム１７の側面周囲には、最上段にギヤ部１７ｂが設けられている。これは、上部トレイ４を駆動するための駆動力を伝達する中間ギヤ２５及び中間ギヤ２７と噛み合うものである。ギヤ部１７ｂは、中間ギヤ２５のギヤ部２５ａ及び中間ギヤ２７のギヤ部２７ａと噛み合う複数の歯からなる歯部１７ｂ１と、歯部１７ｂ１のピッチ円直径を径とする円弧状の欠歯部１７ｂ２とが、連続して設けられるギヤ群として構成されている。
【００４１】
そして、駆動カム１７の側面で、ギヤ部１７ｂの下側には、ギヤ部１７ｄが設けられている。これは、下部トレイ５を駆動するための駆動力を伝達する中間ギヤ２９及び中間ギヤ３１と噛み合うものである。ギヤ部１７ｄは、中間ギヤ２９のギヤ部２９ａ及び中間ギヤ３１のギヤ部３１ａと噛み合う複数の歯からなる歯部１７ｄ１と、歯部１７ｄ１のピッチ円直径を径とする円弧状の欠歯部１７ｄ２とが、連続して設けられるギヤ群として構成されている。
【００４２】
また、駆動カム１７の側面で、ギヤ部１７ｂと１７ｄとの間には、回転保持部１７ｃが設けられている。回転保持部１７ｃは、外径の大きい保持部１７ｃ１と、外径の小さい離間部１７ｃ２とから構成されている。なお、本実施形態では、離間部１７ｃ２は、ギヤ部１７ｂの欠歯部１７ｂ２及びギヤ部１７ｄの欠歯部１７ｄ２と同径としている。
【００４３】
ところで、第１トレイ駆動ギヤ２６と中間ギヤ２５は、ともに筐体１の左側前部に回動自在に配設された中間伝達部材である。後述する中間ギヤ２７と同様にして、駆動カム１７のギヤ部１７ｂと噛み合う中間ギヤ２５のギヤ部２５ａには、そのピッチ円直径に沿って歯の先端部分を切り落とした形状の歯が複数箇所設けてあり、上述したギヤ部１７ｂの欠歯部１７ｂ２において、回転位置を保持するように予め設定されている。
【００４４】
また、第１トレイ駆動ギヤ２６のギヤ部２６ａは、中間ギヤ２５のギヤ部２５ｂと噛み合っており、またギヤ部２６ｂは上部トレイ４の一側面に設けられたラック部４ｃと噛み合うことによって、中間ギヤ２５の駆動力を上部トレイ４に伝達している。これにより、上部トレイ４を着脱位置Ｔ１と収納位置Ｔ２との間で移動させる。
【００４５】
一方、第２トレイ駆動ギヤ２８と中間ギヤ２７は、ともに筐体１の左側中央部に回動自在に配設された中間伝達部材である。ここで、図１３は本ディスクローディング装置における上部トレイの保持機構に関連する部分の構成を示す平面図である。同図（ａ）に示すように、駆動カム１７のギヤ部１７ｂと噛み合う中間ギヤ２７のギヤ部２７ａには、そのピッチ円直径に沿って歯の先端部分を切り落とした形状の歯が複数箇所設けてあり、上述したギヤ部１７ｂの欠歯部１７ｂ２において、回転位置を保持するように予め設定されている。
【００４６】
また、同図（ｂ）に示すように、中間ギヤ２７に設けられて径方向に突出する被保持部２７ｃが、欠歯部１７ｂ２よりも径の大きい保持部１７ｃ１と接触して、回転位置を保持するよう構成されている。また、ここでは図示しないが、第２トレイ駆動ギヤ２８のギヤ部２８ａは、中間ギヤ２７のギヤ部２７ｂと噛み合っており、またギヤ部２８ｂは上部トレイ４の一側面に設けられたラック部４ｃと噛み合うことによって、中間ギヤ２７の駆動力を上部トレイ４に伝達している。これにより、上部トレイ４を収納位置Ｔ２と再生位置Ｔ３との間で移動させる。
【００４７】
さらに、第３トレイ駆動ギヤ３０と中間ギヤ２９は、ともに筐体１の右側前部に回動自在に配設された中間伝達部材である。後述する中間ギヤ３１と同様にして、駆動カム１７のギヤ部１７ｄと噛み合う中間ギヤ２９のギヤ部２９ａには、そのピッチ円直径に沿って歯の先端部分を切り落とした形状の歯が複数箇所設けてあり、上述したギヤ部１７ｄの欠歯部１７ｄ２において、回転位置を保持するように予め設定されている。
【００４８】
また、第３トレイ駆動ギヤ３０のギヤ部３０ａは、中間ギヤ２９のギヤ部２９ｂと噛み合っており、またギヤ部３０ｂは下部トレイ５の一側面に設けられたラック部５ｃと噛み合うことによって、中間ギヤ２９の駆動力を下部トレイ５に伝達している。これにより、下部トレイ５を着脱位置Ｔ４と収納位置Ｔ５との間で移動させる。
【００４９】
一方、第４トレイ駆動ギヤ３２と中間ギヤ３１は、ともに筐体１の右側中央部に回動自在に配設された中間伝達部材である。ここで、図１４は本ディスクローディング装置における下部トレイの保持機構に関連する部分の構成を示す平面図である。同図（ａ）に示すように、駆動カム１７のギヤ部１７ｄと噛み合う中間ギヤ３１のギヤ部３１ａには、そのピッチ円直径に沿って歯の先端部分を切り落とした形状の歯が複数箇所設けてあり、上述したギヤ部１７ｄの欠歯部１７ｄ２において、回転位置を保持するように予め設定されている。
【００５０】
また、同図（ｂ）に示すように、中間ギヤ３１に設けられて径方向に突出する被保持部３１ｃが、欠歯部１７ｄ２よりも径の大きい保持部１７ｃ１と接触して、回転位置を保持するよう構成されている。また、第４トレイ駆動ギヤ３２のギヤ部３２ａは、中間ギヤ３１のギヤ部３１ｂと噛み合っており、またギヤ部３２ｂは下部トレイ５の一側面に設けられたラック部５ｃと噛み合うことによって、中間ギヤ３１の駆動力を下部トレイ５に伝達している。これにより、下部トレイ５を収納位置Ｔ５と再生位置Ｔ６との間で移動させる。
【００５１】
図１５は、本ディスクローディング装置における再生機構ユニットの昇降駆動に関連する部分の構成を示す平面図である。同図及び図１１，図１２に示すように、駆動カム１７の外側でギヤ部１７ｄの下側には、ギヤ部１７ｅが設けられている。これは、再生機構ユニット２０を移動させるための駆動力を伝達する第１再生ユニット駆動ギヤ３３と噛み合うものである。ギヤ部１７ｅは、第１再生ユニット駆動ギヤ３３のギヤ部３３ａと噛み合う複数の歯からなる歯部１７ｅ１と、歯部１７ｅ１のピッチ円直径を径とする円弧状の欠歯部１７ｅ２と、が連続して設けられるギヤ群と、ギヤ部３３ａと接触しないギヤ離間部１７ｅ３とから構成されている。
【００５２】
また、駆動カム１７の側面で最下段には、ギヤ部１７ｆが設けられている。これは、再生機構ユニット２０を移動させるための駆動力を伝達する第２再生ユニット駆動ギヤ３４と噛み合うものである。ギヤ部１７ｆは、駆動カム１７の外側面にあって、第２再生ユニット駆動ギヤ３４のギヤ部３４ａと噛み合う複数の歯からなる歯部１７ｆ１と、歯部１７ｆ１のピッチ円直径を径とする円弧状の欠歯部１７ｆ２と、が連続して設けられるギヤ群と、ギヤ部３４ａと接触しないギヤ離間部１７ｆ３とから構成されている。
【００５３】
第１再生ユニット駆動ギヤ３３及び第２再生ユニット駆動ギヤ３４は、筐体１に回動自在に取り付けられた中間伝達部材であって、第１再生ユニット駆動ギヤ３３のギヤ部３３ｂは、第２再生ユニット駆動ギヤ３４のギヤ部３４ａと噛み合うように配設されている。
【００５４】
図１５（ｃ）に示すように、ギヤ部３３ａとギヤ部１７ｅとが噛み合って、駆動カム１７からの駆動力が、第１再生ユニット駆動ギヤ３３を介して第２再生ユニット駆動ギヤ３４へと伝達される状態においては、ギヤ部１７ｆが離間部１７ｆ３となっており、ギヤ部１７ｆとギヤ部３４ａとは接触しないように予め設定されている。また、図１５（ｂ）に示すように、ギヤ部３４ａとギヤ部１７ｆとが噛み合って、駆動カム１７からの駆動力が第２再生ユニット駆動ギヤ３４へと伝達される状態においては、ギヤ部１７ｅが離間部１７ｅ３となっており、ギヤ部１７ｅとギヤ部３３ａとは接触しないように予め設定されている。
【００５５】
図１５（ａ）には、第１再生ユニット駆動ギヤ３３及び第２再生ユニット駆動ギヤ３４の、回転位置保持の状態が示されている。上記中間ギヤ２７と同様にして、ギヤ部３３ａには、そのピッチ円直径に沿って歯の先端部分を切り落とした形状の歯が複数箇所設けてあり、上述したギヤ部１７ｅの欠歯部１７ｅ２において、回転位置を保持するように予め設定されている。さらに、ギヤ部３３ａにも同様に、そのピッチ円直径に沿って歯の先端部分を切り落とした形状の歯が複数箇所設けてあり、上述したギヤ部１７ｆの欠歯部１７ｆ２において、回転位置を保持するように予め設定されている。
【００５６】
第２再生ユニット駆動ギヤ３４のギヤ部３４ｂは、上述した昇降用ラック部材１８のラック部１８ａと噛み合うように構成されており、駆動カム１７からの駆動力が、第２再生ユニット駆動ギヤ３４、若しくは第１再生ユニット駆動ギヤ３３及び第２再生ユニット駆動ギヤ３４を介して、昇降用ラック部材１８へと伝達される。
【００５７】
上述のように、本ディスクローディング装置では、再生機構ユニット２０を駆動する第１再生ユニット駆動ギヤ３３及び第２再生ユニット駆動ギヤ３４は、駆動カム１７の外周に設けられたギヤ部１７ｅ及び１７ｆによって駆動されている。つまり、上部トレイ４及び下部トレイ５と同じ駆動カム１７によって駆動制御されるように構成されており、駆動機構の簡素化が図られている。
【００５８】
以下、具体的な装置の動作について、順を追って説明する。本ディスクローディング装置は、図９（ｂ）に示したように、通常は上部トレイ４が収納位置Ｔ２にあり、下部トレイ５が再生位置Ｔ６にあり、再生機構ユニット２０はディスク再生位置Ｐ１となっている待機状態である。
【００５９】
上部トレイ４は、収納位置Ｔ２において、第１トレイ駆動ギヤ２６及び第２トレイ駆動ギヤ２８と噛み合っている。第１トレイ駆動ギヤ２６と噛み合う中間ギヤ２５のギヤ部２５ａは、駆動カム１７の外周部に設けられたギヤ部１７ｂの欠歯部１７ｂ２との接触によって、回転位置を保持している。第２トレイ駆動ギヤ２８と噛み合う中間ギヤ２７のギヤ部２７ａは、駆動カム１７の外周部に設けられたギヤ部１７ｂの欠歯部１７ｂ２と接触するとともに、被保持部２７ｃは、欠歯部１７ｂ２より径の大きい保持部１７ｃ１と接触することによって、中間ギヤ２７の回転位置を保持している。このような中間ギヤ２５及び中間ギヤ２７の回転位置保持によって、上部トレイ４は収納位置Ｔ２に保持されている。
【００６０】
図１６は、本ディスクローディング装置におけるトレイの動作案内機構の構成を示す側面図である。同図（ｅ）〜同図（ａ）にかけて示すように、下部トレイ５は、上記第４トレイ駆動ギヤ３２の駆動によって、収納位置Ｔ５と再生位置Ｔ６との間で移動される。一方、上部トレイ４は、上記第２トレイ駆動ギヤ２８の駆動によって、再生位置Ｔ３と収納位置Ｔ２との間で移動される。
【００６１】
下部トレイ５は、収納位置Ｔ５より再生位置Ｔ６への移動において、下部トレイ収納部３に設けられたトレイガイド３ａによって上下方向に動作規制を受けるとともに、下部トレイ収納部３に設けられたトレイガイド３ｂ及び筐体１に設けられたトレイガイド１Ｌによって左右方向に動作規制を受けながら、装置奥部側へと移動する。
【００６２】
トレイガイド１Ｌは、装置奥部において、装置上方に向かって傾斜するトレイガイド１ｄへとつながっている。下部トレイ５の移動が進んでその後端部がトレイガイド１ｄに達すると、そのトレイガイド１ｄの傾斜に従って、下部トレイ５はその後部が装置上方へと傾けられながら、更に装置奥部側へと移動する。これにより下部トレイ５は、図９（ｂ）に示したように、上部トレイ４の再生位置Ｔ３近傍である再生位置Ｔ６に位置することとなる。
【００６３】
下部トレイ５は、再生位置Ｔ６において、ディスク再生位置Ｐ１にある上記再生ユニットホルダー７に一体的に設けられた位置決めボス７ｃが、下部トレイ５に設けられた位置決め穴５ｆに嵌入して保持されている。ここで図１７は、本ディスクローディング装置における駆動カムに関連する部分の構成を示す平面図である。下部トレイ５が再生位置Ｔ６にある状態において、駆動カム１７の回転位置は、同図に示したように、黒丸印の部分がＴｐ１で示された装置前面側の位置にある状態である。この状態を、以後Ｔｐ１位置と呼ぶ。他の位置も同様の呼び名とする。
【００６４】
図１８〜図２３は、本ディスクローディング装置における駆動カムの回転位置及び、各トレイ，昇降用ラック部材等の位置を示す平面図である。また図２４〜図２８は、本ディスクローディング装置における駆動カムの回転位置及び、各トレイ，昇降用ラック部材等の位置関係と、各部ギヤの噛み合い状態を示す平面図である。ここでの各図（ａ）は全体図、（ｂ），（ｃ），（ｄ）はそれぞれＢ部，Ｃ部，Ｄ部の詳細図である。
【００６５】
さて、Ｔｐ１位置となっている図９（ｂ）及び図１９の状態から、上部トレイ４上のディスクを交換可能な状態とするには、駆動モーター１３の回転によって、駆動カム１７が図１７に示すＴｐ１位置からＴｐ２位置へと時計方向に回動する。このとき、図２４に示すように、駆動カム１７に設けられたギヤ部１７ｂの歯部１７ｂ１と、中間ギヤ２５のギヤ部２５ａとが噛み合って、中間ギヤ２５が回転駆動される。
【００６６】
そして、中間ギヤ２５のギヤ部２５ｂと第１トレイ駆動ギヤ２６のギヤ部２６ａとの噛み合い及び、第１トレイ駆動ギヤ２６のギヤ部２６ｂと上部トレイ側面に設けられたラック４ｃとの噛み合いによって、上部トレイ４が駆動される。駆動カム１７がＴｐ２位置に達したとき、上部トレイ４は図９（ａ）及び図１８で示される着脱位置Ｔ１となり、ディスクの交換を行うことができる。また、以上と逆の手順によって、上部トレイ４を着脱位置Ｔ１から収納位置Ｔ２へと移動させることができる。
【００６７】
この間、駆動カム１７に設けられ、中間ギヤ３１と噛み合うギヤ部１７ｄは、欠歯部１７ｄ２となっており、下部トレイ５がディスク再生位置Ｔ６に保持されている。これとともに、図１５（ａ）に示したように、第１再生ユニット駆動ギヤ３３のギヤ部３３ａと噛み合うギヤ部１７ｅは、欠歯部１７ｅ２となっており、また第２再生ユニット駆動ギヤ３４のギヤ部３４ａと噛み合うギヤ部１７ｆは、欠歯部１７ｆ２となっており、再生機構ユニット２０は再生位置Ｐ１に保持されている。
【００６８】
次に、図９（ｂ）及び図１９に示した状態から、上部トレイ４を再生位置へ移動する場合について説明する。まず、駆動カム１７が図１７に示したＴｐ１位置からＴｐ３位置へと反時計方向に回動する間の状態について示す。ここでは図１５（ｂ）に示すように、第２再生ユニット駆動ギヤ３４のギヤ部３４ａと、駆動カム１７に設けられたギヤ部１７ｆの歯部１７ｆ１とが噛み合うとともに、ギヤ部３４ｂと昇降用ラック部材１８のラック１８ａとが噛み合って、昇降用ラック部材１８を筐体１のガイド溝１ｂに沿って装置右側方向へと移動させる。この間では、第１再生ユニット駆動ギヤ３３と噛み合う駆動カム１７のギヤ部１７ｅは、離間部１７ｅ３となっており、第１再生ユニット駆動ギヤ３３は、第２再生ユニット駆動ギヤ３４の駆動に伴って回転するのみである。
【００６９】
図２５に示すように、上部トレイ４は、収納位置Ｔ２において、第１トレイ駆動ギヤ２６及び第２トレイ駆動ギヤ２８と噛み合っている。このとき、第１トレイ駆動ギヤ２６と噛み合う中間ギヤ２５のギヤ部２５ａは、駆動カム１７の外周部に設けられたギヤ部１７ｂの欠歯部１７ｂ２との接触を維持することによって、回転位置を保持している。
【００７０】
また、第２トレイ駆動ギヤ２８と噛み合う中間ギヤ２７のギヤ部２７ａは、駆動カム１７の外周部に設けられたギヤ部１７ｂの欠歯部１７ｂ２との接触を維持するとともに、被保持部２７ｃは、欠歯部１７ｂ２より径の大きい保持部１７ｃ１との接触を維持することによって、中間ギヤ２７の回転位置を保持している。これにより、上部トレイ４は収納位置Ｔ２に保持される。
【００７１】
また、下部トレイ５は、再生位置Ｔ６において、第４トレイ駆動ギヤ３２と噛み合っている。第４トレイ駆動ギヤ３２と噛み合う中間ギヤ３１のギヤ部３１ａは、駆動カム１７の外周部に設けられたギヤ部１７ｄの欠歯部１７ｄ２との接触を維持することによって、回転位置を保持している。これにより、下部トレイ５は再生位置Ｔ６に保持される。
【００７２】
昇降用ラック部材１８が装置右側へと移動すると、ガイド溝１８ｂと昇降用ボス７ａとが係合していることにより、再生ユニットホルダー７及び再生機構ユニット２０は、筐体１に設けられた回動ガイド溝１ａの案内に従って、装置下方へと回動する。再生ユニットホルダー７が下方へ回動するに従って、再生ユニットホルダー７に一体的に設けられた位置決めボス７ｃは、下部トレイ５の位置決め穴５ｆより外れるので、下部トレイ５は移動可能な状態となる。そして、駆動カム１７の回転位置がＴｐ３に達した時、再生機構ユニット２０は図７（ｃ）に示す非再生位置Ｐ２の状態となる。このときの昇降用ラック部材１８並びに上部トレイ４及び下部トレイ５の位置関係は、図２０に示した状態となる。
【００７３】
続いて、駆動カム１７が図１７に示したＴｐ３位置からＴｐ４位置へと反時計方向に回動する間の状態について示す。ここでは図２６に示すように、中間ギヤ２７のギヤ部２７ａと駆動カム１７に設けられたギヤ部１７ｂの歯部１７ｂ１とが噛み合って、第２トレイ駆動ギヤ２８を介して、上部トレイ４を収納位置Ｔ２から再生位置Ｔ３へと移動させる。また、中間ギヤ３１のギヤ部３１ａと駆動カム１７に設けられたギヤ部１７ｄの歯部１７ｄ１とが噛み合って、第４トレイ駆動ギヤ３２を介して、下部トレイ５を再生位置Ｔ６から収納位置Ｔ５へと移動させる。
【００７４】
ここで、上述した図１６により、両トレイの移動動作を説明する。同図（ａ）には上記Ｔｐ３位置における両トレイの位置が示してある。この状態より、上部トレイ４は、両側面部のガイド溝４ｇと上部トレイ収納部２に設けられたトレイガイド２ａとの係合、及び下面部のガイド溝４ｈと上部トレイ収納部２に設けられたトレイガイド２ｂとの係合によって案内され、装置奥部へと装置上面或いは下面に対して略平行に移動する。一方、下部トレイ５は、同図（ｂ）に示すように、下面の後端部が、筐体１後部に設けられた傾斜を持つトレイガイド１ｄによって案内され、装置前面側へと移動するに従い、上部トレイ４に対して略平行となる。
【００７５】
同図（ｃ）に示した状態においては、上記両トレイは互いに略平行となっており、上部トレイ４の側面部における案内は、上部トレイ収納部２のトレイガイド２ａと、筐体１に設けられたトレイガイド１ｋとによって行われている。一方、下部トレイ５は、両側面部のガイド溝５ｇと下部トレイ収納部３に設けられたトレイガイド３ａとの係合、及び下面部のガイド溝５ｈと下部トレイ収納部３に設けられたトレイガイド３ｂとの係合によって案内されている。
【００７６】
上述した各案内部の働きにより、両トレイは同図（ｄ）の状態を経て、同図（ｅ）の状態に達する。即ち、駆動カム１７の回転位置がＴｐ４へと達した時、図９（ｄ）及び図２１に示すように、上部トレイ４が再生位置Ｔ３に位置する状態となり、また下部トレイ５が収納位置Ｔ５に位置する状態となる。この間では、第２再生ユニット駆動ギヤ３４と噛み合う駆動カム１７のギヤ１７ｆは、欠歯部１７ｆ２となっており、再生機構ユニット２０は非再生位置Ｐ２に保持されている。
【００７７】
さらに、駆動カム１７が図１７に示したＴｐ４位置からＴｐ５位置へと反時計方向に回動する間の状態について示す。ここでは図１５（ｃ）に示すように、第１再生ユニット駆動ギヤ３３のギヤ部３３ａと、駆動カム１７に設けられたギヤ部１７ｅの歯部１７ｅ１とが噛み合うとともに、ギヤ部３３ｂと第２再生ユニット駆動ギヤ３４のギヤ部３４ａとが噛み合って回転駆動する。
【００７８】
ここでは第２再生ユニット駆動ギヤ３４は、上述した駆動カム１７のＴｐ１位置からＴｐ３位置への回動の場合と逆方向の回転となっており、昇降用ラック部材１８を、筐体１のガイド溝１ｂに沿って装置左側方向へと移動させる。この間では、第２再生ユニット駆動ギヤ３４と噛み合う駆動カム１７のギヤ部１７ｆは、離間部１７ｆ３となっており、第２再生ユニット駆動ギヤ３４は、第１再生ユニット駆動ギヤ３３の回動に従って、昇降用ラック部材１８へと駆動力を伝達するのみである。
【００７９】
図２７に示すように、上部トレイ４は、再生位置Ｔ３において、第２トレイ駆動ギヤ２８と噛み合っている。このとき、第２トレイ駆動ギヤ２８と噛み合う中間ギヤ２７のギヤ部２７ａは、駆動カム１７の外周部に設けられたギヤ部１７ｂの欠歯部１７ｂ２との接触を維持することによって、回転位置を保持している。これによって、上部トレイ４は再生位置Ｔ３に保持されている。
【００８０】
また、下部トレイ５は、収納位置Ｔ５において、第３トレイ駆動ギヤ３０及び第４トレイ駆動ギヤ３２と噛み合っている。第３トレイ駆動ギヤ３０と噛み合う中間ギヤ２９のギヤ部２９ａは、駆動カム１７の外周部に設けられたギヤ部１７ｄの欠歯部１７ｄ２との接触を維持することによって、回転位置を保持している。第４トレイ駆動ギヤ３２と噛み合う中間ギヤ３１のギヤ部３１ａは、駆動カム１７の外周部に設けられたギヤ部１７ｄの欠歯部１７ｄ２との接触を維持するとともに、被保持部３１ｃは、欠歯部１７ｄ２より径の大きい保持部１７ｃ１との接触を維持することによって、中間ギヤ３１の回転位置を保持している。これにより、下部トレイ５は収納位置Ｔ５に保持される。
【００８１】
昇降用ラック部材１８が装置左側へと移動すると、ガイド溝１８ｂと昇降用ボス７ａとが係合していることにより、再生ユニットホルダー７及び再生機構ユニット２０は、筐体１に設けられた回動ガイド溝１ａの案内に従って、装置上方へと回動する。再生ユニットホルダー７が上方へ回動するに従って、再生ユニットホルダー７に一体的に設けられた位置決めボス７ｃは、上部トレイ４の位置決め穴４へと嵌入し、上部トレイ４は再生位置Ｔ３に保持される。そして、駆動カム１７の回転位置がＴｐ５に達した時、再生機構ユニット２０は図９（ｅ）に示す再生位置Ｐ１の状態となり、上部トレイ４上に載置されたディスク９が再生可能な状態となる。このときの昇降用ラック部材１８並びに上部トレイ４及び下部トレイ５の位置関係は、図２２に示した状態となる。
【００８２】
上記の状態から、下部トレイ５上のディスクを交換する場合には、駆動モーター１３の回転によって、駆動カム１７が図１７に示すＴｐ５位置からＴｐ６位置へと反時計方向に回動する。このとき、図２８に示すように、駆動カム１７に設けられたギヤ部１７ｄの歯部１７ｄ１と、中間ギヤ２９のギヤ部２９ａとが噛み合って、中間ギヤ２９が回転駆動される。
【００８３】
そして、中間ギヤ２９のギヤ部２９ｂと第３トレイ駆動ギヤ３０のギヤ部３０ａとの噛み合い及び、第３トレイ駆動ギヤ３０のギヤ部３０ｂと下部トレイ５側面に設けられたラック５ｃとの噛み合いによって、下部トレイ５が駆動される。駆動カム１７がＴｐ６位置に達したとき、下部トレイ５は図９（ｆ）及び図２３で示される着脱位置Ｔ４となり、ディスクの交換を行うことができる。また、以上と逆の手順によって、下部トレイ５を着脱位置Ｔ４から収納位置Ｔ５へと移動させることができる。
【００８４】
この間、駆動カム１７に設けられ、中間ギヤ２７と噛み合うギヤ部１７ｂは、欠歯部１７ｂ２となっており、上部トレイ４がディスク再生位置Ｔ３に保持されている。これとともに、第１再生ユニット駆動ギヤ３３のギヤ部３３ａと噛み合うギヤ部１７ｅは、欠歯部１７ｅ２となっており、また第２再生ユニット駆動ギヤ３４のギヤ部３４ａと噛み合うギヤ部１７ｆは、欠歯部１７ｆ２となっており、再生機構ユニット２０は再生位置Ｐ１に保持されている。
【００８５】
以上のようにして、本ディスクローディング装置では、上部トレイ４，下部トレイ５，及び再生機構ユニット２０各部の移動は、１つの駆動カム１７の回転駆動によって行われ、且つ、駆動カム１７の１回転中で実現するように構成されている。これにより、トレイ及び再生機構ユニットの駆動機構の構成を簡素化するとともに、これらの動作の制御機構を簡素化することが可能となる。
【００８６】
なお、請求項１で言うカムギヤは、実施形態における駆動カム１７に対応しており、再生手段移動機構は昇降用ラック部材１８に、ディスク再生手段は再生機構ユニット２０にそれぞれ対応している。
【００８７】
【発明の効果】
以上説明したように、本発明によれば、トレイ駆動機構及び再生機構ユニットの構成を簡素化することにより、装置全体を大型化することなく、安価なディスクローディング装置を提供することができる。
【００８８】
具体的には、ディスクが着脱可能な第１着脱位置と、ディスクを収納して待機する第１収納位置と、ディスクが再生可能な第１再生位置との間を移動可能な第１トレイと、ディスクが着脱可能な第２着脱位置と、ディスクを収納して待機する第２収納位置と、ディスクが再生可能な第２再生位置との間を移動可能な第２トレイと、第１トレイに載置されたディスク或いは第２トレイに載置されたディスクを再生するディスク再生手段と、そのディスク再生手段を再生位置と非再生位置との間で往復動させる再生手段移動機構と、を備えた構成において、外周部に歯部及び欠歯部が設けられたカムギヤと、そのカムギヤ外周部の歯部及び前記第１トレイに設けられたラックに噛み合い、その第１トレイを第１着脱位置と第１収納位置との間で駆動する第１ギヤと、そのカムギヤ外周部の歯部及び前記第１トレイに設けられたラックに噛み合い、その第１トレイを第１収納位置と第１再生位置との間で駆動する第２ギヤと、そのカムギヤ外周部の歯部及び前記第２トレイに設けられたラックに噛み合い、その第２トレイを第２着脱位置と第２収納位置との間で駆動する第３ギヤと、そのカムギヤ外周部の歯部及び前記第２トレイに設けられたラックに噛み合い、その第２トレイを第２収納位置と第２再生位置との間で駆動する第４ギヤと、そのカムギヤ外周部の歯部及び前記再生手段移動機構に設けられたラックに噛み合う第５ギヤと、を設け、前記カムギヤが回転して前記第１ギヤ〜第５ギヤを駆動することにより、前記第１トレイ，前記第２トレイ，及び前記ディスク再生手段の移動を制御する構成としている。
【００８９】
これにより、１つのカムギヤで、前記第１トレイ及び前記第２トレイのローディング動作と、前記ディスク再生手段の移動という一連の動作を行うことができる。従って、動作機構の簡素化によるコストの低減や、装置の小型化を図ることができるという効果を奏する。
【００９０】
また、前記第１トレイの第１着脱位置と第１再生位置との間の移動、及び前記第２トレイの第２着脱位置と第２再生位置との間の移動、及び前記ディスク再生手段の再生位置と非再生位置との間の移動は、前記カムギヤの１回転中に行われる構成としている。
【００９１】
これにより、前記カムギヤの回転角度によって装置の動作状態を把握することが可能となり、装置の制御機構を簡素化することができるという効果を奏する。
【図面の簡単な説明】
【図１】本発明の一実施形態に係るディスクローディング装置の外観を示す斜視図。
【図２】本ディスクローディング装置の内部構造を示す斜視図。
【図３】筐体周辺の各部の構造を示す分解斜視図。
【図４】下部トレイ収納部の構造を示す斜視図。
【図５】上部トレイ収納部の構造を示す斜視図。
【図６】本装置に装着される２種類のディスクを示す平面図。
【図７】上部トレイの構造を示す斜視図。
【図８】下部トレイの構造を示す斜視図。
【図９】トレイ及び再生機構ユニットの移動を模式的に示す基本動作図。
【図１０】トレイ及び再生機構ユニットに関する部分の内部構成を示す図。
【図１１】トレイ及び再生機構ユニットに関する部分の構造を示す分解図。
【図１２】駆動カムに関連する部分の構成を示す図。
【図１３】上部トレイの保持機構に関連する部分の構成を示す平面図。
【図１４】下部トレイの保持機構に関連する部分の構成を示す平面図。
【図１５】再生機構ユニットの昇降駆動に関連する部分の構成を示す図。
【図１６】トレイの動作案内機構の構成を示す側面図。
【図１７】駆動カムに関連する部分の構成を示す平面図。
【図１８】駆動カムの回転位置及び、各トレイ，昇降用ラック部材等の位置を示す平面図。
【図１９】駆動カムの回転位置及び、各トレイ，昇降用ラック部材等の位置を示す平面図。
【図２０】駆動カムの回転位置及び、各トレイ，昇降用ラック部材等の位置を示す平面図。
【図２１】駆動カムの回転位置及び、各トレイ，昇降用ラック部材等の位置を示す平面図。
【図２２】駆動カムの回転位置及び、各トレイ，昇降用ラック部材等の位置を示す平面図。
【図２３】駆動カムの回転位置及び、各トレイ，昇降用ラック部材等の位置を示す平面図。
【図２４】駆動カムの回転位置及び、各トレイ，昇降用ラック部材等の位置関係と、各部ギヤの噛み合い状態を示す平面図。
【図２５】駆動カムの回転位置及び、各トレイ，昇降用ラック部材等の位置関係と、各部ギヤの噛み合い状態を示す平面図。
【図２６】駆動カムの回転位置及び、各トレイ，昇降用ラック部材等の位置関係と、各部ギヤの噛み合い状態を示す平面図。
【図２７】駆動カムの回転位置及び、各トレイ，昇降用ラック部材等の位置関係と、各部ギヤの噛み合い状態を示す平面図。
【図２８】駆動カムの回転位置及び、各トレイ，昇降用ラック部材等の位置関係と、各部ギヤの噛み合い状態を示す平面図。
【図２９】従来のディスクローディング装置の一例におけるトレイ及び再生機構ユニットの移動を模式的に示す基本動作図。
【符号の説明】
１    筐体
２    上部トレイ収納部
３    下部トレイ収納部
４    上部トレイ
５    下部トレイ
７    再生ユニットホルダー
８    ディスク押さえ
９，１０    ディスク
１３    モーター
１４    ピニオンギヤ
１５    中間ギヤ
１６    中間ギヤ
１７    駆動カム
１８    昇降用ラック部材
２０    再生機構ユニット
２１    ターンテーブル
２２    ピックアップ
２３    防振ゴム
２５，２７，２９，３１    中間ギヤ
２６    第１トレイ駆動ギヤ
２８    第２トレイ駆動ギヤ
３０    第３トレイ駆動ギヤ
３２    第４トレイ駆動ギヤ
３３    第１再生ユニット駆動ギヤ
３４    第２再生ユニット駆動ギヤ
【図１】
0003744835.tif 000002
【図２】
0003744835.tif 000003
【図３】
0003744835.tif 000004
【図４】
0003744835.tif 000005
【図５】
0003744835.tif 000006
【図６】
0003744835.tif 000007
【図７】
0003744835.tif 000008
【図８】
0003744835.tif 000009
【図９】
0003744835.tif 000010
【図１０】
0003744835.tif 000011
【図１１】
0003744835.tif 000012
【図１２】
0003744835.tif 000013
【図１３】
0003744835.tif 000014
【図１４】
0003744835.tif 000015
【図１５】
0003744835.tif 000016
【図１６】
0003744835.tif 000017
【図１７】
0003744835.tif 000018
【図１８】
0003744835.tif 000019
【図１９】
0003744835.tif 000020
【図２０】
0003744835.tif 000021
【図２１】
0003744835.tif 000022
【図２２】
0003744835.tif 000023
【図２３】
0003744835.tif 000024
【図２４】
0003744835.tif 000025
【図２５】
0003744835.tif 000026
【図２６】
0003744835.tif 000027
【図２７】
0003744835.tif 000028
【図２８】
0003744835.tif 000029
【図２９】
0003744835.tif 000030